(57)【要約】  【課題】  車両に搭載されるＤＶＤ読取装置等の装置から入力されたパラレルデータを送信装置から、液晶モニタ等の装置へパラレルデータを出力する受信装置へ送信する際に、周波数分布の偏在化を防止して伝送線の細線化等を可能とし、しかも複製防止のための保護機能を強化する通信方法、通信システム及び通信装置を提供する。  【解決手段】  送信装置２０から送信すべき複数チャネルの２値のデータと、擬似乱数列生成回路２０４にて生成した２値の擬似乱数列との排他的論理和をとるスクランブル処理をスクランブラ２０３に手実行することで、各チャネルのデータを暗号化し、暗号化した各チャネルのデータを、所定の順で配列したシリアルデータに変換した上で、送信装置２０から受信装置３０へ送信する。【選択図】      図２
2006154466.tif 000002
【特許請求の範囲】
【請求項１】
送信装置から受信装置へ複数チャネルの２値のデータを送信する通信方法において、
前記送信装置は、
２値の擬似乱数列を生成し、
各チャネルのデータ及び生成した擬似乱数列の排他的論理和により、各チャネルのデータを暗号化し、
暗号化した各チャネルのデータを、所定の順で配列したシリアルデータに変換し、
変換したシリアルデータを前記受信装置へ送信し、
該受信装置は、
前記送信装置にて生成される擬似乱数列に対応する擬似乱数列を生成し、
受信したシリアルデータを複数チャネルのパラレルデータに変換し、
変換したパラレルデータ及び生成した擬似乱数列に基づいて、各チャネルのデータを復号する
ことを特徴とする通信方法。
【請求項２】
複数チャネルの２値のデータを送受信する送信装置及び受信装置を備える通信システムにおいて、
前記送信装置は、
２値の擬似乱数列を生成する手段と、
各チャネルのデータ及び生成した擬似乱数列の排他的論理和により、各チャネルのデータを暗号化する手段と、
暗号化した各チャネルのデータを、所定の順序で配列したシリアルデータに変換する手段と、
変換したシリアルデータを前記受信装置へ送信する手段と
を備え、
該受信装置は、
前記送信装置にて生成される擬似乱数列に対応する擬似乱数列を生成する手段と、
受信したシリアルデータを複数チャネルのパラレルデータに変換する手段と、
変換したパラレルデータ及び生成した擬似乱数列に基づいて、各チャネルのデータを復号する手段と
を備える
ことを特徴とする通信システム。
【請求項３】
前記送信装置は、擬似乱数列の生成に要するデータを前記受信装置へ送信する手段を更に備えることを特徴とする請求項２に記載の通信システム。
【請求項４】
複数チャネルの２値のデータを他の装置へ送信する送信装置において、
２値の擬似乱数列を生成する手段と、
各チャネルのデータ及び生成した擬似乱数列の排他的論理和により、各チャネルのデータを暗号化する手段と、
暗号化した各チャネルのデータを、所定の順序で配列したシリアルデータに変換する手段と、
変換したシリアルデータを、伝送線を介して他の装置へ送信する手段と
を備えることを特徴とする送信装置。
【発明の詳細な説明】
【技術分野】
【０００１】
本発明は、送信装置から受信装置へ複数チャネルの２値のデータを送信する通信方法、該通信方法を適用した通信システム、及び該通信システムが備える送信装置に関し、特にデータ伝送時のＥＭＩ特性を改善する通信方法、通信システム及び送信装置に関する。
【背景技術】
【０００２】
近年、車両に搭載されるナビゲーション装置、オーディオビジュアル装置等の各種車載装置が増加の一途を辿っており、これらの各種装置を伝送線で接続する様々な通信システムが提案され、また実用化されている（例えば、特許文献１参照。）。
【０００３】
通信システムに用いられるナビゲーション装置又はオーディオビジュアル装置として用いられるＤＶＤ（デジタル多目的ディスク）読取装置では、ＤＶＤに記録されている画像信号を読み取り、読み取った画像信号を構成するＲ（Ｒｅｄ）成分の画像成分信号、Ｇ（Ｇｒｅｅｎ）成分の画像成分信号及びＢ（Ｂｌｕｅ）成分の画像成分信号を出力する。
【０００４】
ＤＶＤに記録されている画像信号は、映画等の著作物を再生するための信号であるため、著作物の複製権等の権利の保護の観点から暗号化が施されており、ＤＶＤから読み取った画像信号の伝送時においても権利を保護すべく技術的保護手段が講じられている。具体的には、ＤＶＤ読取装置から読み取られた画像信号は、ＨＤＣＰ(High-bandwidth Digital Content Protection) 等の不正防止技術により暗号化された上で出力され、受信側の装置にて復号された後、液晶ディスプレイ等の表示手段へ出力され、表示手段から画像として出力される。
【特許文献１】特開２００２−１５２２４４号公報
【発明の開示】
【発明が解決しようとする課題】
【０００５】
しかしながら車載装置の増加及び送信する信号の増加に伴い、伝送線の本数が増加するので、それらを束ねた全体としての伝送線が太くなる。伝送線が太くなった場合、重量の増加、敷設スペースの不足という問題、また取り回しが困難となるため敷設時の利便性の問題が生じる。さらに伝送するデータの周波数分布の偏在化のため、特定の周波数の雑音が生じるので、個々の伝送線を細くした場合、雑音による影響が無視することができないという問題が有り、このことは伝送線を細線化する上での障害となっている。
【０００６】
さらに著作物の複製防止技術については更なる向上が望まれているが、現在用いられているＨＤＣＰ等の不正防止技術とかけ離れた技術では、新たな回路の設計及び生産に要する開発・製造コストの増加、既存の車載装置との互換性等の問題が生じる。
【０００７】
本発明は斯かる事情に鑑みてなされたものであり、送信側の装置は、送信すべき複数の信号を割り当てた各チャネルのデータと、擬似乱数列との排他的論理和をとることにより、各チャネルのデータを暗号化し、暗号化した各チャネルのデータを所定の順序で配列したシリアルデータに変換して受信側の装置へ送信することにより、周波数分布を分散して伝送線の細線化を可能とすることで、重量の増加、敷設スペースの問題及び利便性の問題を解決する通信方法、該通信方法を適用した通信システム、及び該通信システムが備える送信装置の提供を主たる目的とする。
【０００８】
しかも伝送するデータは、既存の不正防止技術を用いた暗号化を行った上で、更に暗号化を行うことになるので、既存の車載装置との互換性を確保しながらも、複製防止のための保護機能の強化を行うことが可能な通信方法、通信システム及び送信装置の提供を他の目的とする。
【課題を解決するための手段】
【０００９】
第１発明に係る通信方法は、送信装置から受信装置へ複数チャネルの２値のデータを送信する通信方法において、前記送信装置は、２値の擬似乱数列を生成し、各チャネルのデータ及び生成した擬似乱数列の排他的論理和により、各チャネルのデータを暗号化し、暗号化した各チャネルのデータを、所定の順で配列したシリアルデータに変換し、変換したシリアルデータを前記受信装置へ送信し、該受信装置は、前記送信装置にて生成される擬似乱数列に対応する擬似乱数列を生成し、受信したシリアルデータを複数チャネルのパラレルデータに変換し、変換したパラレルデータ及び生成した擬似乱数列に基づいて、各チャネルのデータを復号することを特徴とする。
【００１０】
本発明では、擬似乱数列を用いて変換することにより、周波数分布を分散して、周波数分布の偏在化による特定の周波数の雑音の発生を抑制するので、伝送線の細線化が可能となり、またシリアルデータに変換するので伝送線の省線化が可能となり、敷設スペースの問題を解消することができ、取り回しが容易となるので利便性を向上させることが可能であり、しかも細線化及び省線化に伴い軽量化を実現することが可能である。また既存の不正防止技術を用いた暗号化を行った上で、更に暗号化を行うことになるので、製造コストの増加を防止し、既存の装置との互換性を確保しながらも、複製防止のための保護機能の強化を行うことが可能である。
【００１１】
第２発明に係る通信システムは、複数チャネルの２値のデータを送受信する送信装置及び受信装置を備える通信システムにおいて、前記送信装置は、２値の擬似乱数列を生成する手段と、各チャネルのデータ及び生成した擬似乱数列の排他的論理和により、各チャネルのデータを暗号化する手段と、暗号化した各チャネルのデータを、所定の順序で配列したシリアルデータに変換する手段と、変換したシリアルデータを前記受信装置へ送信する手段とを備え、該受信装置は、前記送信装置にて生成される擬似乱数列に対応する擬似乱数列を生成する手段と、受信したシリアルデータを複数チャネルのパラレルデータに変換する手段と、変換したパラレルデータ及び生成した擬似乱数列に基づいて、各チャネルのデータを復号する手段とを備えることを特徴とする。
【００１２】
本発明では、擬似乱数列を用いて変換することにより、周波数分布を分散して、周波数分布の偏在化による特定の周波数の雑音の発生を抑制するので、伝送線の細線化が可能となり、またシリアルデータに変換するので伝送線の省線化が可能となり、敷設スペースの問題を解消することができ、取り回しが容易となるので利便性を向上させることが可能であり、しかも細線化及び省線化に伴い軽量化を実現することが可能である。また既存の不正防止技術を用いた暗号化を行った上で、更に暗号化を行うことになるので、製造コストの増加を防止し、既存の装置との互換性を確保しながらも、複製防止のための保護機能の強化を行うことが可能である。
【００１３】
第３発明に係る通信システムは、第２発明において、前記送信装置は、擬似乱数列の生成に要するデータを前記受信装置へ送信する手段を更に備えることを特徴とする。
【００１４】
本発明では、擬似乱数列の生成に要するデータを送信することにより、送信装置及び受信装置間での暗号／復号鍵として擬似乱数列を共有することが可能となる。
【００１５】
第４発明に係る送信装置は、複数チャネルの２値のデータを他の装置へ送信する送信装置において、２値の擬似乱数列を生成する手段と、各チャネルのデータ及び生成した擬似乱数列の排他的論理和により、各チャネルのデータを暗号化する手段と、暗号化した各チャネルのデータを、所定の順序で配列したシリアルデータに変換する手段と、変換したシリアルデータを、伝送線を介して他の装置へ送信する手段とを備えることを特徴とする。
【００１６】
本発明では、擬似乱数列を用いて変換することにより、周波数分布を分散して、周波数分布の偏在化による特定の周波数の雑音の発生を抑制するため、伝送線の細線化が可能となり、またシリアルデータに変換するので伝送線の省線化が可能となり、敷設スペースの問題を解消することができ、取り回しが容易となるので利便性を向上させることが可能であり、しかも細線化及び省線化に伴い軽量化を実現することが可能である。また既存の不正防止技術を用いた暗号化を行った上で、更に暗号化を行うことになるので、製造コストの増加を防止し、既存の装置との互換性を確保しながらも、複製防止のための保護機能の強化を行うことが可能である。
【発明の効果】
【００１７】
本発明に係る通信方法、通信システム及び送信装置は、送信装置から送信すべき複数チャネルの２値のデータと、別途生成した２値の擬似乱数列との排他的論理和をとることで、各チャネルのデータを暗号化し、暗号化した各チャネルのデータを、所定の順で配列したシリアルデータに変換した上で、送信装置から受信装置へ送信する。
【００１８】
擬似乱数列を用いた暗号化により、伝送するデータの信号波の周波数分布が分散されるのでＥＭＩ(Electro Magnetic Interference) 特性が改善し、周波数分布の偏在化による特定の周波数の雑音の発生を抑制するため、伝送線の細線化が可能となり、またシリアルデータに変換することで伝送線の省線化が可能となるので、敷設スペースの問題を解消することができ、取り回しが容易となるので利便性を向上させることが可能であり、しかも細線化及び省線化に伴い軽量化を実現することが可能である等、優れた効果を奏する。
【００１９】
また既存の不正防止技術を用いた暗号化を行った上で、更に暗号化を行うことになるので、製造コストの増加を防止し、既存の装置との互換性を確保しながらも、複製防止のための保護機能の強化を行うことが可能である等、優れた効果を奏する。
【発明を実施するための最良の形態】
【００２０】
以下、本発明をその実施の形態を示す図面に基づいて詳述する。
【００２１】
図１は、本発明の通信システムの構成を示すブロック図である。図１中１は、自動車等の車両であり、車両１には、ナビゲーションシステム、オーディオビジュアルシステム等の各種システムを構成し、２４ビットカラーを形成する画像信号、音声信号等の複数チャネルの信号を出力するＤＶＤ読取装置等の第１処理装置１０と、第１処理装置１０から出力された様々な信号をデータとして送信する送信装置２０と、送信装置２０から送信されたデータを受信する受信装置３０と、受信したデータに基づき受信装置３０から出力される信号の入力を受け付ける液晶モニタ、スピーカ等の第２処理装置４０とが搭載されている。送信装置２０及び受信装置３０間は、差動より対線（差動ツイストペアケーブル）を用いた伝送線２により接続されている。
【００２２】
なお送信装置２０へ信号を出力する第１処理装置１０は、１台で複数のチャネルの信号を出力する装置であっても、異なるチャネルの信号を出力する複数台の装置であっても良い。同様に受信装置３０から出力される様々なチャネルの信号の入力を受け付ける第２処理装置４０は、複数のチャネルの信号の入力を受け付ける１台の装置であっても、異なる規格の信号の入力を受け付ける複数台の装置であっても良い。
【００２３】
また第１処理装置１０及び送信装置２０は、一つの筐体内に組み込まれる様に形成しても、また異なる筐体として形成しても良い。受信装置３０及び第２処理装置４０も同様である。
【００２４】
さらに伝送線２としては、差動より対線に限らず、同軸ケーブル、光ケーブル等の様々な伝送線を用いることが可能である。
【００２５】
図２は、本発明の通信システムにて用いられる各種装置の構成を示すブロック図である。第１処理装置１０は、ＨＤＣＰ等の不正防止技術により暗号化した各色成分を示す各データ、音声データ等の複数のチャネルの夫々２値のデータを、送信装置２０へ出力する出力インタフェース（出力Ｉ／Ｆ）１０１を備えている。
【００２６】
送信装置２０は、第１処理装置１０から出力された所定数、例えば１２チャネルの暗号化された２値のデータの入力を受け付ける入力インタフェース（入力Ｉ／Ｆ）２０１を備え、入力Ｉ／Ｆ２０１では、入力を受け付けた各データを入力ラッチ回路２０２へ出力する。入力ラッチ回路２０２は、入力インタフェース２０１から入力を受け付けた各チャネルのデータを保持し、図示しない同期信号出力回路から出力される８０ＭＨｚ等の所定の周波数の同期信号に基づいて、保持した各チャネルのデータをパラレルデータとしてスクランブラ２０３へ出力する。
【００２７】
また送信装置２０は、２値の擬似乱数列を生成する擬似乱数列生成回路２０４を備えており、擬似乱数列生成回路２０４にて生成された２値の擬似乱数列は、パラレルデータとしてスクランブラ２０３へ出力される。
【００２８】
スクランブラ２０３では、入力ラッチ回路２０２から受け付けた各チャネルのデータ及び擬似乱数列生成回路２０４から受け付けた擬似乱数列の排他的論理和をとることで、各チャネルのデータを暗号化し、暗号化した各チャネルのデータをパラレル／シリアル変換回路２０５へ出力する。パラレル／シリアル変換回路２０５から出力されるシリアルデータには、シリアルデータの送信単位となるフレームの同期をとるためのフレーム同期ビットが付与される。ただし８Ｂ１０Ｂ変換等のフレームの区切りが明確に示される変換方法を適用する場合、フレーム同期ビットは不要である。
【００２９】
パラレル／シリアル変換回路２０５では、スクランブラ２０３から受け付けた各チャネルのデータを、所定の順序で配列したシリアルデータに変換し、変換したシリアルデータを送信インタフェース（送信Ｉ／Ｆ）２０６へ出力する。送信インタフェース２０６では、受け付けたシリアルデータを、伝送線２を介して受信装置３０へ送信する。
【００３０】
受信装置３０は、伝送線２を介して送信装置２０から送信されるシリアルデータを受信する受信インタフェース（受信Ｉ／Ｆ）３０１を備え、受信インタフェース３０１では、受信したシリアルデータをシリアル／パラレル変換回路３０２へ出力する。
【００３１】
シリアル／パラレル変換回路３０２では、入力を受け付けたシリアルデータを、送信装置２０が入力を受け付けたデータ数に対応する１２ビット等の所定のビット数のパラレルデータに変換し、変換したパラレルデータをデスクランブラ３０３へ出力する。
【００３２】
また受信装置３０は、送信装置２０が備える擬似乱数列生成回路２０４にて生成された擬似乱数列に対応する２値の擬似乱数列を生成する擬似乱数列生成回路３０４を備えており、擬似乱数列生成回路３０４にて生成された２値の擬似乱数列は、パラレルデータとしてデスクランブラ３０３へ出力される。また送信装置２０は、擬似乱数列の生成に要するデータを予め受信装置３０へ送信しており、受信装置３０が備える擬似乱数列生成回路３０４では、受信した擬似乱数列の生成に要するデータに基づいて、送信装置２０が備える擬似乱数列生成回路２０４にて生成された擬似乱数列に対応する擬似乱数列を生成する。なお予め送信装置２０及び受信装置３０にて擬似乱数列の生成に要するデータの設定を記録しておく様にしても良い。
【００３３】
デスクランブラ３０３では、シリアル／パラレル変換回路３０２から受け付けたパラレルデータ及び擬似乱数列生成回路３０４にて生成される擬似乱数列基づき排他的論理和演算を行うことにより、パラレルデータを復号し、復号したパラレルデータを出力ラッチ回路３０５へ出力する。なお出力ラッチ回路３０５へ出力するパラレルデータは、擬似乱数列による暗号化に対して復号されているが、ＨＤＣＰ等の不正防止技術によって暗号化については、この段階では復号されていない。
【００３４】
出力ラッチ回路３０５では、デスクランブラ３０３から受け付けたパラレルデータを、１２チャネル等の複数のチャネルのデータとして出力インタフェース（出力Ｉ／Ｆ）３０６へ出力し、出力インタフェース３０６では、入力を受け付けたデータを第２処理装置４０へ出力する。なお出力インタフェース３０６におけるデータ出力のタイミングは、受信したシリアルデータに含まれる同期ビット等の所定のビット信号に基づいて生成される同期信号を基準としている。
【００３５】
第２処理装置４０は、受信装置３０から出力されるデータの入力を受け付ける出力インタフェース（出力Ｉ／Ｆ）４０１を備え、受け付けた色成分を示す各データ、音声データ等の暗号化されたデータを復号し、画像及び音声として出力する。
【００３６】
次に本発明の通信システムにおけるデータ処理について説明する。図３は、本発明の送信装置２０が備えるスクランブラ２０３及び擬似乱数列生成回路２０４の回路構成を模式的に示すブロック図である。図３（ａ）として示す回路が、擬似乱数列生成回路２０４であり、図３（ｂ）として示す箇所がスクランブラ２０３である。なお図３に示すスクランブラ２０３及び擬似乱数列生成回路２０４は、１２ビットのデータに対応する回路である。
【００３７】
図３（ａ）に示す様に、擬似乱数列生成回路２０４は、０ビット目から１４ビット目までのデータを格納するシフトレジスタと、排他的論理和演算を行う論理演算回路を備えている。論理演算回路では、シフトレジスタの１２ビット目のデータと１４ビット目のデータとの排他的論理和を算出し、０ビット目から１３ビット目までのデータを夫々＋１方向にシフトし、排他的論理和の算出結果をシフトレジスタの０ビット目のデータとして格納する。このような演算処理を、１２ビットを単位として実行する。即ち１２ビットのデータは、１クロックで１度に処理される。そして演算処理を所定のクロック回数繰り返した後のシフトレジスタの０ビット目から１４ビット目までのデータが擬似乱数列となる。
【００３８】
擬似乱数列生成回路２０４にて生成された擬似乱数列をｓｃｒ(k) （ｋ＝０，１，２，…，１１）とし、１クロック前の状態をＳＣＲ(k) （ｋ＝０，１，２，…，１１）とすると、ｓｃｒ(k) とＳＣＲ(k) との関係は以下の様に示すことができる。
【００３９】
ｓｃｒ(0) ＝ＳＣＲ(3)   ＸＯＲ  ＳＣＲ(1)
ｓｃｒ(1) ＝ＳＣＲ(4)   ＸＯＲ  ＳＣＲ(2)
ｓｃｒ(2) ＝ＳＣＲ(5)   ＸＯＲ  ＳＣＲ(3)
…
ｓｃｒ(11) ＝ＳＣＲ(14)   ＸＯＲ  ＳＣＲ(12)
【００４０】
これらを一般化すると下記の式１で表すことができる。
【００４１】
ｓｃｒ(k) ＝ＳＣＲ(k+3)   ＸＯＲ  ＳＣＲ(k+1)     ……式１
但し、ｋ＝０，１，２，…，１１
【００４２】
式１に示す様に１クロックで１２ビットの擬似乱数列の生成を行うため、擬似乱数列生成回路２０４は、１クロックで１２ビット分のシフトを行うこととなる。しかし実際の演算処理としては、所定の２ビット分を排他的論理和演算で求めるのみという簡単な演算となる。
【００４３】
このようにして生成された擬似乱数列は、擬似乱数列生成回路２０４からスクランブラ２０３へ出力される。図３（ｂ）に示す様に、擬似乱数列生成回路２０４から出力された擬似乱数列の０ビット目から１１ビット目までの夫々のデータは、０番目のチャネル（ｃｈ０）から１１番目のチャネル（ｃｈ１１）の夫々のデータとの排他的論理和により、スクランブル（暗号化）される。
【００４４】
スクランブル（暗号化）前の各チャネルのデータをａ(n) （ｎ＝０，１，２，…，１１）とすると、スクランブル（暗号化）後のデータをａ'(n)（ｎ＝０，１，２，…，１１）は、以下の様に示される。
【００４５】
ａ'(n)＝ａ(n)   ＸＯＲ  ｓｃｒ(n)
＝ａ(n)   ＸＯＲ  ＳＣＲ(n+1)
但し、ｎ＝０，１，２，…，１１
【００４６】
０番目のチャネルから１１番目のチャネルをスクランブルすべく、各ビットに対して排他的論理和をとるための擬似乱数列ｓｃｒ(k) は、擬似乱数列生成回路２０４にて１クロック毎に生成され、出力されるので、スクランブラ２０３では、１クロック毎に異なる擬似乱数列ｓｃｒ(k) が用いられる。
【００４７】
受信装置３０が備えるデスクランブラ３０３及び擬似乱数列生成回路３０４にて行われる処理も同様であり、擬似乱数列生成回路３０４にて生成された擬似乱数列と、送信装置２０から受信したシリアルデータを変換したパラレルデータとの排他的論理和をとることにより、スクランブル前のデータを算出する。
【００４８】
なおデスクランブラ３０３にてデスクランブル（復号）を行うためには、送信装置２０が備える擬似乱数列生成回路２０４が生成する擬似乱数列及びその出力タイミングと、受信装置３０が備える擬似乱数列生成回路３０４が生成する擬似乱数列及びその出力タイミングが一致しなければならない。従って送信装置２０が備える擬似乱数列生成回路２０４及び受信装置３０が備える擬似乱数列生成回路３０４は、以下に示す初期化を行う。
【００４９】
送信装置２０が備える擬似乱数列生成回路２０４の初期値は、「12'hFFF 」に設定される。この初期値を用いた初期化期間中、送信装置２０から受信装置３０へ送信される各データは、全て「０(12'h000) 」となる。
【００５０】
受信装置３０が備える擬似乱数列生成回路３０４の初期値は、「12'h000 」に設定される。そして０ビット目の値については、送信装置２０から受信した擬似乱数列の生成に要するデータの０ビット目と置き換える。送信装置２０から受信したデータをｂ(n) （ｎ＝０，１，２，…，１１）とすると受信装置３０が備える擬似乱数列生成回路３０４にて生成される擬似乱数列ｓｃｒ(k) は以下の様に示すことができる。なおＳＣＲ(k) （ｋ＝０，１，２，…，１１）は、１クロック前の状態であり、初期化には、６４クロック程度を要する。
【００５１】
ｓｃｒ(0) ＝ｂ(0)
ｓｃｒ(1) ＝ＳＣＲ(4)   ＸＯＲ  ＳＣＲ(2)
ｓｃｒ(2) ＝ＳＣＲ(5)   ＸＯＲ  ＳＣＲ(3)
…
ｓｃｒ(11) ＝ＳＣＲ(14)   ＸＯＲ  ＳＣＲ(12)
【００５２】
これを一般化すると下記の式となる。
【００５３】
ｓｃｒ(0) ＝ｂ(0)
ｓｃｒ(k) ＝ＳＣＲ(k+3)   ＸＯＲ  ＳＣＲ(k+1) 
但し、ｋ＝０，１，２，…，１１
【００５４】
前記実施の形態では、送信装置から受信装置へ信号を送信する形態を示したが、本発明はこれに限らず、双方の装置に夫々送信装置及び受信装置の回路を組み込んだ通信装置を実現し、双方向通信を実現する形態であっても良い。双方向通信を実現する通信装置として用いる場合、電源回路等の送信装置及び受信装置の双方で使用する回路は共有回路として用いることが可能であり、これにより装置全体としての大きさを小型化することが可能である。
【００５５】
また前記実施の形態では、車載装置に適用する形態を示したが、本発明はこれに限らず、ホームネットワーク等の様々な通信システムに適用することが可能である。そしてカーナビゲーション装置に限らず、ＤＶＤ再生装置、テレビジョン受像機、オーディオ機器等の様々な装置に適用することが可能である。
【図面の簡単な説明】
【００５６】
【図１】本発明の通信システムの構成を示すブロック図である。
【図２】本発明の通信システムにて用いられる各種装置の構成を示すブロック図である。
【図３】本発明の送信装置が備えるスクランブラ及び擬似乱数列生成回路の回路構成を模式的に示すブロック図である。
【符号の説明】
【００５７】
１  車両
２  伝送線
１０  第１処理装置
２０  送信装置
２０３  スクランブラ
２０４  擬似乱数列生成回路
２０５  パラレル／シリアル変換回路
３０  受信装置
３０３  デスクランブラ
３０４  擬似乱数列生成回路
３０５  シリアル／パラレル変換回路
４０  第２処理装置
【図１】
2006154466.tif 000003
【図２】
2006154466.tif 000004
【図３】
2006154466.tif 000005